(57)【要約】【目的】ダンスの説明において、出来るだけ文字や言葉や文章を使わないで、色や線や記号で直感的にわかるように表示したダンスの本をつくる。その表示の部分を各国語で翻訳した小冊子を作り、本のＣＤＲＯＭを外したページ抜けに挟んで糊で固定し、本の変形を防ぐ。このような本により、言語の違う世界の人々がダンスの修得が楽になり、踊ってもうまく組み合うのを目的とする。【構成】ダンスの足形を男女色分けにして、その濃淡でフットワークを表示する。また足形の線の種類と加減でフットワークを表示する。これらの二手法を組み合わせて足形図を構成する。この足形のそばに身体の動きを矢印、線等で構成した記号や文字記号を付けてダンスの本をつくる。この表示部分を各言語で翻訳し小冊子をつくり、ダンスの本のＣＤＲＯＭの厚紙を外したページ抜けに挟んで糊で固定し、本の変形を防ぐ。【選択図】　図１
2004121775.tif 000002
【特許請求の範囲】
【請求項１】
ダンスの足形のフットワークの表示において、足が床に早く着く部分の色を濃くし、遅く着く部分を同色の薄い色で表示した、ダンスの表示方法。
【請求項２】
ダンスの足形のフットワークの表示において、足が床に早く着く部分から順番に、実線から点線へと各線を加減して表示した、ダンスの表示方法。
【請求項３】
ダンスの足形に付随する身体の動きの表示において、動きを矢印と線を合成して記号化した、ダンスの表示方法。
【請求項４】
本のＣＤＲＯＭを外した後の厚紙が残っている部分に、請求項１と請求項２、請求項３、を各国の言語で解説した小冊子、あるいはその他の小冊子を挿入して貼り付けて、その厚みの加減により、ページ抜けによる本の変形を防ぐ方法。
【発明の詳細な説明】
【０００１】
【産業上の利用分野】
この発明は、ダンスの足形図とその本の製作に関するものである。
【０００２】
【従来の技術】
従来、ダンスのフットワークを色の濃淡で表示する方法や、線の種類やその増減で動きを記号化した表示方法はなかった。そしてＣＤＲＯＭ内蔵の厚紙を綴じ込んだ本で、ＣＤＲＯＭを外した後のページ抜けに対する配慮があるものもなかった。
【０００３】
【発明が解決しようとする課題】
１）従来のように足形図に、フットワークの文字や言葉や文章を書き入れてゆくと、現実感や表情がなくなる。
２）身体の動きを文字や言葉や文章ばかりで表示すると、書き込みが煩雑で、読むことが多いため、煩わしくなり、図面としての直感的な理解度と現実感がなくなる。
以上１）と２）ともに、違った国の男女が組み合って踊るのに、文字や言葉や文章だけで表すと、言語の種類の数だけの本が必要になる。
３）手本となるダンスの画像のＣＤＲＯＭが仕込んである厚紙を、本から外した場合、厚紙の一部が本に残り、本のページ抜けによる変形が起きるのである。これは、ＣＤＲＯＭ内蔵の厚紙を綴じ込んである全ての本に、起きることである。
【０００４】
【課題を解決するための手段】
１）のフットワークについては
イ、男女別に足形を色分けにして、先に床に着く部分を濃く、後から床に着く部分を同色の薄い色にして表示する。
ロ、足形の線を、男女別に線を色分けにして、先に床に着く部分から順に実線、点線、空白としてその増減で表示する。
２）の身体の動きの表示については
Ａ、足形図のそばに、動作を示唆するための矢印、直線、折れ線、曲線、図案等で直感的に動きが理解できて、小さくても視認可能な記号を配備する。
Ｂ、これで表示しきれないものを、文字や図形や図案で囲んだ文字記号で表示する。
以上１）と２）のイ、ロ、Ａ、Ｂのようにして、文字や言葉や文章を使用するのを出来るだけ少なくする。
３）本のページ抜けによる変形については
前記の表示方法の部分を、各国語に翻訳した糊代のついた小冊子、その他本の本体の厚みが揃うように小冊子をつくり、ＣＤＲＯＭを外した残りの厚紙に添えて差し込み糊で固定する。
【０００５】
【実施例】
ダンスには専門用語がある。その主なものは
ライズアンドフォール；身体の上下運動のことで、Ｒ＆Ｆで表示する。
つま先とボール；足の裏の前半をボールと言い、その先のつま先をトーと言う。
身体の上下運動のある踊りは、足の裏の前半のつま先まで使うので、この部分を図１から図４のように、つま先、トー、Ｔと言っている。身体の上下運動のないタンゴのような踊りは、図５、図６のようにここをボールと言い、Ｂで表示する。
かかと；ヒールと言い頭文字を取ってＨで表す。
内縁；足の裏の内側になる部分を言う。インサイドエッジとも言いＩＥで表す。
足の裏の前半の内側をＴのＩＥと言い、タンゴではＢのＩＥと表示する。
図１は、男女の足形の図表である。男性の部分は黒系である。黒でなくても暗色であれば用が足りる。女性の部分は赤系である。中の塗った部分は足裏が床に先に着く部分から濃く、後になるに従って薄くなる。
図２は、図１の続きである。図中点線は仮定の位置か、中空の位置を表示する。
図３、図４は、線で表した足形図である。足裏が床に先に着く部分から実線で、次いで点線、そして空白で表示する。順番はロ−７の図のように実線と点線と空白の増減で示す。図４は図３の続きである。
図５は、タンゴの足形図で図１、図２の足形の中を塗ったものと、図３、図４の線で表したものとの合成されたものである。図６はこれを線の種類とその増減で表したものである。
以上図１から図６までのものを、目的の縮尺によって視認し易いように適宜合成すれば生き生きとした足形図の本が出来るのである。
図７は、身体の動きを記号で表した図表である。これは線と矢印で身体の動きを記号化して、記号が小さくなっても視認できるように工夫したものである。
図中Ａ−１は、身体を捻った時の肩の回転を真上から見た図を抽象化したものである。
図中Ａ−２からＡ−６までは、身体の上下運動を示したものである。
図中Ａ−７とＡ−８は、回転方向に身体を傾ける肩の線である。
図中Ａ−９からＡ−１２までは、動く方向の肩を先に動かし、その肩の足を踏み出す動作を示す。
図中Ａ−１３からＡ−２０までは、身体の回転を示す。矢印の向きで右回転か左回転を表し、矢印の位置で回転の始め、回転を続ける、回転の終わりを表示する。
図中Ａ−２１は、一瞬の身体の向きを表示する。
図中Ａ−２２からＡ−２５までは足に対する身体の回転の程度を表す。
図８は、前記足形図表で表示できないものを文字記号で表示した。丸で囲んだものは回転を伴う。他の図形で囲んだものはビボットであり、その頭文字のＰを図案化したものである。
【０００６】
以上の図１から図８までを各国語に翻訳するのは、単語だけなのでとても楽である。これを国別の小冊子にして、ダンスの足形図の本に挟み込んでおけば、全世界の人々にダンスを広めることが出来るのである。
図９は、ダンスの映像を収録したＣＤＲＯＭを仕込んだ厚紙１を綴じ込んだ図である。これを点線の位置で外すのである。
図１０は、この外した後の厚紙の残った部分１に、厚紙の厚さに近い小冊子２を挟み込み３の糊代で糊付けをして１に固定するのである。小冊子は前記図１から図８までを各国語で翻訳したもの、あるいはその本に必要な小冊子である。これはＣＤＲＯＭ内蔵の厚紙を綴じ込んである全ての本の、厚紙を外したあとの処置になる。
【０００７】
【発明の効果】
言語で表示すると、煩わしくなるのが、直感的にわかる色や記号になっているので短く、読むより見て分かるのである。
本全体でなく図１から図８までだけを翻訳するのだから、翻訳が少なく非常に楽である。ＣＤＲＯＭを外したあとに、ＣＤＲＯＭを仕込んだ厚紙の一部が綴じ込みに残り、このためページ抜けになり本のページが窪んで変形するのを防ぐのである。
【０００８】
【図面の簡単な説明】
【図１】足形の中を塗った図表
【図２】図１の続きの図表
【図３】足形を線で表した図表
【図４】図３の続きの図表
【図５】タンゴの足形の中を塗った図表
【図６】タンゴの足形を線で表した図表
【図７】身体の動きを記号化した図表
【図８】文字記号の図表
【図９】ＣＤＲＯＭを挟み綴じ込んだ本の斜視図
【図１０】小冊子を挟み込む斜視図
【符号の説明】
イ−１のイは足形の中に色をつけることを表示する
ロ−１のロは線で構成した足形図であることを表示する。
Ａ−１のＡは動きを記号で表示する。
Ｂ−１のＢは動きを文字記号で表示する。
図９の符号
１　ＣＤＲＯＭを仕込んだ厚紙
２　小冊子
３　糊代（のりしろ）
【図１】
2004121775.tif 000003
【図２】
2004121775.tif 000004
【図３】
2004121775.tif 000005
【図４】
2004121775.tif 000006
【図５】
2004121775.tif 000007
【図６】
2004121775.tif 000008
【図７】
2004121775.tif 000009
【図８】
2004121775.tif 000010
【図９】
2004121775.tif 000011
【図１０】
2004121775.tif 000012